(57)【要約】【課題】  表示範囲を拡大できる安全なパチンコ遊技装置を提供すること。【解決手段】  パチンコ遊技装置１の窓枠２に透明強化プラスチックパネル３を嵌め込むことにより、ガラスのように割れて怪我をする危険性がなく、また、透明強化プラスチックパネル３は軽量であるため、取り付けなどの際の作業性を向上させることができる。さらに、その透明強化プラスチックパネル３に透明ディスプレイ４を配置することによって、遊技盤５に設けられた各種表示装置６の表示範囲を拡大することができ、各種表示装置６に表示すべき情報とは独立した広告や店舗情報などをパチンコ遊技装置１自体に表示させることも可能であるので、常に遊技客の目に入り、広告効果を高めることができる。【選択図】  図２
2005318931.tif 000002
【特許請求の範囲】
【請求項１】
前面の窓枠に嵌め込まれた透明強化プラスチックパネルと、
遊技盤に設置されて遊技内容を表示する各種表示装置と、
前記透明強化プラスチックパネルに保持されて前記各種表示装置の表示範囲を拡大する透明ディスプレイと、
を備えていることを特徴とするパチンコ遊技装置。
【請求項２】
前記各種表示装置の表示制御を行うパチンコ遊技装置用制御部と、前記透明ディスプレイの表示制御を行う透明ディスプレイ用制御部とをさらに備え、前記透明ディスプレイ用制御部は前記パチンコ遊技装置用制御部から受けた遊技内容情報または遊技内容とは独立した内容を有する外部から受けた情報を選択して表示するように構成されていることを特徴とする請求項１記載のパチンコ遊技装置。
【請求項３】
前記外部から受けた情報は、広告または店舗情報であることを特徴とする請求項２記載のパチンコ遊技装置。
【請求項４】
前記透明ディスプレイは、エレクトロルミネッセンスディスプレイであることを特徴とする請求項１記載のパチンコ遊技装置。
【発明の詳細な説明】
【技術分野】
【０００１】
本発明はパチンコ遊技装置に関し、特に遊技店に設置されて遊技のための画像情報、遊技店のお知らせ情報、広告情報などを表示するようにしたパチンコ遊技装置に関する。
【背景技術】
【０００２】
従来のパチンコ遊技装置は、前面がすべてガラスで覆われており、中の遊技盤上には、一般に、釘、スタートチャッカー、スルーチャッカー、表示装置などが配置されている。このようなパチンコ遊技装置は、遊技中に、パチンコ玉がたとえばスタートチャッカーに入賞されると、遊技盤に搭載された回転ドラム、液晶ディスプレイ、ＬＥＤ（発光ダイオード）ディスプレイなどを始動し、絵柄などを変化させて抽選結果を表示するようにしている。
【０００３】
一方、遊技店は、多数の人が集まる場所であるため、遊技店内に広告を表示させることによる宣伝効果が大きい。そのため、従来では、店内の所要箇所に大型情報端末を設置したり、あるいは、パチンコ遊技装置に隣接設置される台間玉貸機に小型の情報端末などを設置して、広告を表示させたり、店舗の通知情報、各種イベントなどの通知サービスを行っている。
【０００４】
ところが、大型情報端末を利用した情報表示は、設置場所が限定されるため、特定の客しか見ることができない。このため、情報端末を特定の場所に設置するのではなく、パチンコ遊技装置のそれぞれに広告表示装置を設置することが提案されている（たとえば、特許文献１参照。）。このパチンコ遊技装置によれば、その正面に設けられている前面ガラスに透明ディスプレイを設け、そこに広告を表示させることによって、パチンコ遊技装置の前を通る客に広告を見せることができるようにし、客が本来の遊技を行う際には広告表示を消すことで、遊技の邪魔にならないようにしている。
【特許文献１】特開２００３−１２２２８８号公報（段落番号〔００２０〕〜〔００２２〕，図３）
【発明の開示】
【発明が解決しようとする課題】
【０００５】
しかしながら、従来のパチンコ遊技装置は、遊技内容に関する表示絵柄は遊技盤に設けられた回転ドラムまたはディスプレイだけによる表示であるため表示範囲の大きさにある程度の制限があり、表示内容の表現力が十分でないという問題点がある。パチンコ遊技装置の前面ガラスに広告を表示するようにしたものでは、その広告表示装置の透明ディスプレイとして比較的大きな表示画面を有しているが、広告専用のものであるため、遊技盤に設けられたディスプレイの表示範囲を拡大するものではない。
【０００６】
また、パチンコ遊技装置の前面はガラスで覆われているため、破損の際には怪我のおそれがあって取り扱いには注意が必要であり、さらに、ガラスは重量があるため、設置などの作業性が悪いという問題点があった。
【０００７】
本発明はこのような点に鑑みてなされたものであり、表示範囲を拡大できる安全なパチンコ遊技装置を提供することを目的とする。
【課題を解決するための手段】
【０００８】
本発明では上記問題を解決するために、前面の窓枠に嵌め込まれた透明強化プラスチックパネルと、遊技盤に設置されて遊技内容を表示する各種表示装置と、前記透明強化プラスチックパネルに保持されて前記各種表示装置の表示範囲を拡大する透明ディスプレイと、を備えていることを特徴とするパチンコ遊技装置が提供される。
【０００９】
このようなパチンコ遊技装置によれば、パチンコ遊技装置の前面にガラスを使用せずに透明強化プラスチックパネルを用いたことによって、安全且つ設置作業など容易になる。また、パチンコ遊技装置の前面に配置された透明ディスプレイで各種絵柄の表示範囲も拡大されることから、遊技盤上の各種表示装置と組み合わせることにより表現力が多彩になり、非常にゲーム性が高く楽しさを増したパチンコ遊技装置を遊技客に提供できる。さらに、広告や店舗の通知情報がパチンコ遊技装置前面に表示されるため、広告効果を高めることができる。
【発明の効果】
【００１０】
本発明のパチンコ遊技装置は、その前面をガラスの代りに透明強化プラスチックパネルを使用したことにより怪我や重さと言った不安から解消され、さらに、その透明強化プラスチックパネルに透明ディスプレイを設けたことにより、遊技盤に設置されていて表示範囲の大きさにある程度の制限があった各種表示装置と組み合わせることによって表現力が多彩になってゲーム性を向上させることができ、しかも透明ディスプレイに表示させることで、大型表示が可能になって非常に見易くなるという利点がある。
【００１１】
また、パチンコ遊技装置の前面に設けられた透明ディスプレイを広告・通知手段としても利用できるので、各種情報端末が不要になるだけでなく、常に遊技客の目に入るので宣伝効果も高い。
【発明を実施するための最良の形態】
【００１２】
以下、本発明の実施の形態を図面を参照して詳細に説明する。
図１はパチンコ遊技装置の全体の概観を示す正面図、図２は図１のａ−ａ矢視断面図である。
【００１３】
本発明によるパチンコ遊技装置１は、その前面に開閉自在に設けられた窓枠２を有しており、その窓枠２に透明の透明強化プラスチックパネル３が嵌め込まれている。この透明強化プラスチックパネル３には、透明ディスプレイ４が設置されている。透明ディスプレイ４は、好ましくは、自発光が可能で透光率の高い有機ＥＬ（エレクトロルミネッセンス）ディスプレイを用いている。もちろん、液晶表示装置など、他の薄型で透明なディスプレイを用いることができる。
【００１４】
パチンコ遊技装置１は、また、窓枠２の内側に遊技盤５が垂直よりも後ろ側にわずかに傾斜を付けて設置されている。遊技盤５には、図示はしないが、パチンコ玉を誘導するための複数本の釘が適当に配列されて打ち付けられており、チャッカー、アタッカーなども適当に配置されている。さらに、遊技盤５の中央には、各種表示装置６が配置されている。この各種表示装置６は、たとえば液晶表示装置で構成され、たとえばチャッカーなどにパチンコ玉が入賞することによって随時絵柄を変化させて表示することができるものである。
【００１５】
なお、透明ディスプレイ４は、各種表示装置６のように設置スペースの制限は少ないので、サイズを大きくすることができ、各種表示装置６よりも大型表示が可能であるので、表示内容を見やすくすることができる。
【００１６】
これにより、パチンコ遊技装置１は、遊技盤５に設けられた各種表示装置６に加えて、透明強化プラスチックパネル３に設けられた透明ディスプレイ４による情報表示が可能になる。この透明ディスプレイ４は、各種表示装置６と組み合わせて表示させることにより、遊技内容の絵柄を主として表示する各種表示装置６で表示することができない他の絵柄も表示できるようになるため、表示範囲を拡大することができ、その結果、表現力が向上するため、ゲーム性を高めることができる。しかも、遊技中以外は、透明ディスプレイ４にたとえば広告や店舗情報などを表示させることが可能になるため、今まで別途用意していた情報端末を無くしたり数を減らしたりすることができる。
【００１７】
図３は透明強化プラスチックパネルおよび透明ディスプレイの具体的な構成を示す部分断面図である。
パチンコ遊技装置１の窓枠２に嵌め込まれる透明部分は、図示の例では、ガラス以外の２枚の透明強化プラスチックパネル３と透明ディスプレイ４とからなり、透明強化プラスチックパネル３に挟まれる形で透明ディスプレイ４が配置されている。透明強化プラスチックパネル３は、ガラスに比べて衝撃に強く、何らかの原因により割れる心配もないため、遊技客にとっては非常に安全である。また、作業員がパチンコ遊技装置を設置したり取り外したりする際においても、ガラスが割れて怪我を負うということもなく、ガラスに比べて非常に軽量であることから作業性を向上させることができる。
【００１８】
なお、この例では、透明ディスプレイ４を２枚の透明強化プラスチックパネル３で挟んでこれらを一体に構成したが、１枚の透明強化プラスチックパネル３の内側の面に透明ディスプレイ４を配置するようにしてもよい。
【００１９】
図４はパチンコ遊技装置の表示システムを例示した構成図、図５は透明ディスプレイの第１の表示例を示す図、図６は透明ディスプレイの第２の表示例を示す図である。
表示システムは、外部に設けられたサーバ７と、通信ライン８と、複数のパチンコ遊技装置１のそれぞれに設けられた透明ディスプレイ用制御部９およびパチンコ遊技装置用制御部１０とによって構成されている。サーバ７は、通信ライン８を介して透明ディスプレイ用制御部９に接続され、透明ディスプレイ用制御部９はパチンコ遊技装置用制御部１０に接続されている。透明ディスプレイ用制御部９は、遊技内容とは独立した情報であるサーバ７からの通信情報と、パチンコ遊技装置用制御部１０から得られた情報とを選択して透明ディスプレイ４に表示する機能を有し、パチンコ遊技装置用制御部１０は、遊技盤５に設けられた各種表示装置６に遊技中の情報を表示する機能を有している。
【００２０】
ここで、遊技中でないパチンコ遊技装置１の透明ディスプレイ４に広告や店舗情報などを表示させる場合には、図５に示したように、外部に設けられたサーバ７から送られた通信情報を透明ディスプレイ用制御部９が受け、その透明ディスプレイ用制御部９が透明ディスプレイ４に表示することになる。この場合、遊技盤５内の各種表示装置６は、従来通り、パチンコ遊技装置用制御部１０が行う。
【００２１】
次に、遊技中のパチンコ遊技装置１が遊技内容の絵柄を透明ディスプレイ４に表示させる場合には、図６に示したように、その情報を透明ディスプレイ用制御部９がパチンコ遊技装置用制御部１０から受けて、その透明ディスプレイ用制御部９が透明ディスプレイ４に表示することになる。
【００２２】
このように、遊技内容の絵柄を表示範囲の小さな各種表示装置６に代えて表示範囲の大きな透明ディスプレイ４に表示することにより、各種表示装置６と合わせて多彩な表示が可能になり、ゲーム性の高いパチンコ遊技装置１を遊技客に提供することができる。また、広告や店舗情報などを常に遊技客の目に入るパチンコ遊技装置１の前面に表示させることができるため、広告効果を高めることができる。
【図面の簡単な説明】
【００２３】
【図１】パチンコ遊技装置の全体の概観を示す正面図である。
【図２】図１のａ−ａ矢視断面図である。
【図３】透明強化プラスチックパネルおよび透明ディスプレイの具体的な構成を示す部分断面図である。
【図４】パチンコ遊技装置の表示システムを例示した構成図である。
【図５】透明ディスプレイの第１の表示例を示す図である。
【図６】透明ディスプレイの第２の表示例を示す図である。
【符号の説明】
【００２４】
１  パチンコ遊技装置
２  窓枠
３  透明強化プラスチックパネル
４  透明ディスプレイ
５  遊技盤
６  各種表示装置
７  サーバ
８  通信ライン
９  透明ディスプレイ用制御部
１０  パチンコ遊技装置用制御部
【図１】
2005318931.tif 000003
【図２】
2005318931.tif 000004
【図３】
2005318931.tif 000005
【図４】
2005318931.tif 000006
【図５】
2005318931.tif 000007
【図６】
2005318931.tif 000008